(57)【要約】      （修正有）【課題】乳幼児等の着用者に着用させやすく、不快感を生じさせ難いパンツ型吸収性物品を提供する。【解決手段】吸収性本体１０と、伸縮性シート２４及び前側弾性部材を備えた前側胴回り部２０と、後側弾性部材を備えた後側胴回り部３０を有するパンツ型吸収性物品１であって、前側胴回り部は前側縁部を有し、後側胴回り部は後側縁部を有し、左右方向に前側胴回り部の長さが、最も伸長したときの長さの８５％まで伸長させたときの、前側縁部における左右方向の伸長力は、後側胴回り部の長さが、最も伸長したときの長さの８５％まで伸長させたときの、後側縁部における左右方向の伸長力より大きく、前側胴回り部の長さが、最も伸長したときの長さの５５％まで収縮させたときの、前側縁部における左右方向の収縮力は、後側胴回り部の長さが、最も伸長したときの長さの５５％まで収縮させたときの、後側縁部における左右方向の収縮力より小さい。【選択図】図１
2019118553.tif 000002
【特許請求の範囲】
【請求項１】
互いに交差する上下方向と左右方向と前後方向とを有し、
吸収性本体と、
前記左右方向に伸縮する伸縮性シート及び前側弾性部材を備えた前側胴回り部と、
前記左右方向に伸縮する後側弾性部材を備えた後側胴回り部と、
を有するパンツ型吸収性物品であって、
前記前側胴回り部は、前記上下方向において前記前側胴回り部の上端と前記伸縮性シートの下端とによって挟まれた領域である前側縁部を有し、
前記後側胴回り部は、前記上下方向において前記後側胴回り部の上端からの長さが、前記前側縁部の前記上下方向における長さと等しい後側縁部を有し、
前記左右方向において、
前記前側胴回り部の長さが、最も伸長したときの長さの８５％になるまで伸長させたときの、前記前側縁部における前記左右方向の伸長力は、
前記後側胴回り部の長さが、最も伸長したときの長さの８５％になるまで伸長させたときの、前記後側縁部における前記左右方向の伸長力よりも大きく、
前記左右方向において、
前記前側胴回り部の長さが、最も伸長したときの長さの５５％になるまで収縮させたときの、前記前側縁部における前記左右方向の収縮力は、
前記後側胴回り部の長さが、最も伸長したときの長さの５５％になるまで収縮させたときの、前記後側縁部における前記左右方向の収縮力よりも小さい、
ことを特徴とするパンツ型吸収性物品。
【請求項２】
請求項１に記載のパンツ型吸収性物品であって、
前記左右方向において、
前記前側胴回り部の長さが、最も伸長したときの長さの９０％〜６５％の範囲に含まれる所定の割合の長さになるまで伸長させたときの、前記前側縁部における前記左右方向の伸長力は、
前記後側胴回り部の長さが、最も伸長したときの長さの９０％〜６５％の範囲に含まれる前記所定の割合の長さになるまで伸長させたときの、前記後側縁部における前記左右方向の伸長力よりも大きい、
ことを特徴とするパンツ型吸収性物品。
【請求項３】
請求項２に記載のパンツ型吸収性物品であって、
前記左右方向において、前記前側胴回り部及び前記後側胴回り部が最も伸長したときの長さに対する、前記前側胴回り部及び前記後側胴回り部の長さの割合が大きいほど、
前記前側縁部における前記左右方向の伸長力と前記後側縁部における前記左右方向の伸長力との差が大きくなる、ことを特徴とするパンツ型吸収性物品。
【請求項４】
請求項１〜３のいずれか１項に記載のパンツ型吸収性物品であって、
前記左右方向において、
前記前側胴回り部の長さが、最も伸長したときの長さの６０％〜４５％の範囲に含まれる所定の割合の長さになるまで収縮させたときの、前記前側縁部における前記左右方向の収縮力は、
前記後側胴回り部の長さが、最も伸長したときの長さの６０％〜４５％の範囲に含まれる前記所定の割合の長さになるまで収縮させたときの、前記後側縁部における前記左右方向の収縮力よりも小さい、
ことを特徴とするパンツ型吸収性物品。
【請求項５】
請求項４に記載のパンツ型吸収性物品であって、
前記左右方向において、前記前側胴回り部及び前記後側胴回り部が最も伸長したときの長さに対する、前記前側胴回り部及び前記後側胴回り部の長さの割合が小さいほど、
前記前側縁部における前記左右方向の収縮力と前記後側縁部における前記左右方向の収縮力との差が大きくなる、ことを特徴とするパンツ型吸収性物品。
【請求項６】
請求項１〜５のいずれか１項に記載のパンツ型吸収性物品であって、
前記後側胴回り部は、前記上下方向において前記後側縁部よりも下側、かつ、前記後側弾性部材が配置されている領域である、後側中間部を有し、
前記左右方向において、前記後側胴回り部の長さが、最も伸長したときの長さの８５％になるまで伸長させたとき、
前記後側中間部における前記左右方向の伸長力は、前記後側縁部における前記左右方向の伸長力よりも大きい、ことを特徴とするパンツ型吸収性物品。
【請求項７】
請求項６に記載のパンツ型吸収性物品であって、
前記前側胴回り部は、前記上下方向において前記前側縁部よりも下側、かつ、前記前側弾性部材が配置されている領域である、前側中間部を有し、
前記左右方向において、前記前側胴回り部の長さが、最も伸長したときの長さの８５％になるまで伸長させたとき、
前記前側中間部における前記左右方向の伸長力は、前記前側縁部における前記左右方向の伸長力よりも大きい、ことを特徴とするパンツ型吸収性物品。
【請求項８】
請求項７に記載のパンツ型吸収性物品であって、
前記左右方向において、
前記前側胴回り部の長さが、最も伸長したときの長さの８５％になるまで伸長させたときの、前記前側中間部における前記左右方向の伸長力は、
前記後側胴回り部の長さが、最も伸長したときの長さの８５％になるまで伸長させたときの、前記後側中間部における前記左右方向の伸長力よりも小さい、
ことを特徴とするパンツ型吸収性物品。
【請求項９】
請求項８に記載のパンツ型吸収性物品であって、
前記左右方向において、前記前側胴回り部及び前記後側胴回り部の長さが、それぞれ最も伸長したときの長さの８５％になるまで伸長させたとき、
前記後側中間部における前記左右方向の伸長力は、前記前側中間部における前記左右方向の伸長力よりも大きく、
前記前側中間部における前記左右方向の伸長力は、前記前側縁部における前記左右方向の伸長力よりも大きく、
前記前側縁部における前記左右方向の伸長力は、前記後側縁部における前記左右方向の伸長力よりも大きい、ことを特徴とするパンツ型吸収性物品。
【請求項１０】
請求項１〜９のいずれか１項に記載のパンツ型吸収性物品であって、
前記前側胴回り部は、前記上下方向において前記前側縁部よりも下側、かつ、前記前側弾性部材が配置されている領域である、前側中間部を有し、
前記左右方向において、前記前側胴回り部の長さが、最も伸長したときの長さの５５％になるまで収縮させたとき、
前記前側中間部における前記左右方向の収縮力は、前記前側縁部における前記左右方向の収縮力よりも大きい、ことを特徴とするパンツ型吸収性物品。
【請求項１１】
請求項１０に記載のパンツ型吸収性物品であって、
前記後側胴回り部は、前記上下方向において前記後側縁部よりも下側、かつ、前記後側弾性部材が配置されている領域である、後側中間部を有し、
前記左右方向において、
前記前側胴回り部の長さが、最も伸長したときの長さの５５％になるまで収縮させたときの、前記前側中間部における前記左右方向の収縮力は、
前記後側胴回り部の長さが、最も伸長したときの長さの５５％になるまで収縮させたときの、前記後側中間部における前記左右方向の収縮力よりも小さい、
ことを特徴とするパンツ型吸収性物品。
【請求項１２】
請求項１１に記載のパンツ型吸収性物品であって、
前記左右方向において、前記前側胴回り部及び前記後側胴回り部の長さが、それぞれ最も伸長したときの長さの５５％になるまで収縮させたとき、
前記後側中間部における前記左右方向の収縮力は、前記後側縁部における前記左右方向の収縮力よりも大きく、
前記後側縁部における前記左右方向の収縮力は、前記前側中間部における前記左右方向の収縮力よりも大きく、
前記前側中間部における前記左右方向の収縮力は、前記前側縁部における前記左右方向の収縮力よりも大きい、ことを特徴とするパンツ型吸収性物品。
【発明の詳細な説明】
【技術分野】
【０００１】
本発明は、パンツ型吸収性物品に関する。
【背景技術】
【０００２】
パンツ型吸収性物品として、パンツ型使い捨ておむつが知られている。特許文献１には、前身頃外装体と後身頃外装体の間に吸収性本体が架橋され、前身頃外装体と後身頃外装体の幅方向両側縁が互いに接合され、腰周り開口部が形成されたパンツ型使い捨ておむつが開示されている。前身頃外装体、及び、後身頃外装体では、腰周り伸縮材が、インナーシートとアウターシート（非伸縮性シート）の間に伸長状態で固定されている。
【先行技術文献】
【特許文献】
【０００３】
【特許文献１】特開２０１３−１３８７９５号
【発明の概要】
【発明が解決しようとする課題】
【０００４】
パンツ型使い捨ておむつを着用対象者（例えば乳幼児）に着用させる際には、胴回り開口部を広げるようにして引っ張りながら、胴回り開口部から脚回り開口部に着用者の脚を通して、股下側に引き上げる方法が一般的である。しかしながら、前身頃外装体と後身頃外装体とで同じ条件で腰周り伸縮材が搭載されている場合、胴回りの前側（腹側）と後側（背側）とで同等の力が作用することから、おむつを引き上げる際に後身頃外装体が着用者（乳幼児）のおしりの出っ張りに引っ掛かりやすくなる。また、乳幼児はお腹がぽっこりと出っ張った体型をしていることから、おむつを着用させた状態では、背側と比較して腹側において締め付けが強くなり、お腹にギャザーの跡が付いたり不快感を生じさせたりするおそれがある。
【０００５】
本発明は、上記のような従来の問題に鑑みてなされたものであって、その目的は、乳幼児等の着用者に着用させやすく、また、着用時に不快感を生じさせ難いパンツ型吸収性物品を提供することにある。
【課題を解決するための手段】
【０００６】
上記目的を達成するための主たる発明は、互いに交差する上下方向と左右方向と前後方向とを有し、吸収性本体と、前記左右方向に伸縮する伸縮性シート及び前側弾性部材を備えた前側胴回り部と、前記左右方向に伸縮する後側弾性部材を備えた後側胴回り部と、を有するパンツ型吸収性物品であって、前記前側胴回り部は、前記上下方向において前記前側胴回り部の上端と前記伸縮性シートの下端とによって挟まれた領域である前側縁部を有し、前記後側胴回り部は、前記上下方向において前記後側胴回り部の上端からの長さが、前記前側縁部の前記上下方向における長さと等しい後側縁部を有し、前記左右方向において、前記前側胴回り部の長さが、最も伸長したときの長さの８５％になるまで伸長させたときの、前記前側縁部における前記左右方向の伸長力は、前記後側胴回り部の長さが、最も伸長したときの長さの８５％になるまで伸長させたときの、前記後側縁部における前記左右方向の伸長力よりも大きく、前記左右方向において、前記前側胴回り部の長さが、最も伸長したときの長さの５５％になるまで収縮させたときの、前記前側縁部における前記左右方向の収縮力は、前記後側胴回り部の長さが、最も伸長したときの長さの５５％になるまで収縮させたときの、前記後側縁部における前記左右方向の収縮力よりも小さい、ことを特徴とするパンツ型吸収性物品である。
本発明の他の特徴については、本明細書及び添付図面の記載により明らかにする。
【発明の効果】
【０００７】
本発明によれば、乳幼児等の着用者に着用させやすく、また、着用時に不快感を生じさせ難いパンツ型吸収性物品を提供することができる。
【図面の簡単な説明】
【０００８】
【図１】パンツ型使い捨ておむつ１（以下「おむつ」）の斜視図である。
【図２】展開かつ伸長状態のおむつ１の平面図である。
【図３】図２のＩＩ線での断面図である。
【図４】おむつ１を着用させる際の動作の一例を示す図である。
【図５】乳幼児等の着用者がおむつ１を着用した状態について表す側面図である。
【図６】おむつ１の胴回り開口部ＢＨを開く動作において、前側縁部Ｌｆ、及び、後側縁部Ｌｂを左右方向に引っ張った時の、各部の伸長力の変化について表した図である。
【図７】おむつ１の胴回り開口部ＢＨを着用者の胴回りにフィットさせる動作において、前側縁部Ｌｆ、及び、後側縁部Ｌｂを左右方向に収縮させた時の、各部の収縮力の変化について表した図である。
【発明を実施するための形態】
【０００９】
本明細書及び添付図面の記載により、少なくとも以下の事項が明らかとなる。
互いに交差する上下方向と左右方向と前後方向とを有し、吸収性本体と、前記左右方向に伸縮する伸縮性シート及び前側弾性部材を備えた前側胴回り部と、前記左右方向に伸縮する後側弾性部材を備えた後側胴回り部と、を有するパンツ型吸収性物品であって、前記前側胴回り部は、前記上下方向において前記前側胴回り部の上端と前記伸縮性シートの下端とによって挟まれた領域である前側縁部を有し、前記後側胴回り部は、前記上下方向において前記後側胴回り部の上端からの長さが、前記前側縁部の前記上下方向における長さと等しい後側縁部を有し、前記左右方向において、前記前側胴回り部の長さが、最も伸長したときの長さの８５％になるまで伸長させたときの、前記前側縁部における前記左右方向の伸長力は、前記後側胴回り部の長さが、最も伸長したときの長さの８５％になるまで伸長させたときの、前記後側縁部における前記左右方向の伸長力よりも大きく、前記左右方向において、前記前側胴回り部の長さが、最も伸長したときの長さの５５％になるまで収縮させたときの、前記前側縁部における前記左右方向の収縮力は、前記後側胴回り部の長さが、最も伸長したときの長さの５５％になるまで収縮させたときの、前記後側縁部における前記左右方向の収縮力よりも小さい、ことを特徴とするパンツ型吸収性物品。
【００１０】
このようなパンツ型吸収性物品によれば、おむつを着用させる際に、臀部側において後側胴回り部の上端部（後側縁部）が伸びやすくなるため、着用者の臀部に引っ掛かりにくくなる。また、おむつを着用した状態では、腹部側において前側胴回り部の上端部（前側縁部）が伸びやすくなるため、着用者のお腹が過度に締め付けられることを抑制できる。したがって、着用者に着用させやすく、また、着用時に不快感を生じさせ難いパンツ型吸収性物品を実現することができる。
【００１１】
かかるパンツ型吸収性物品であって、前記左右方向において、前記前側胴回り部の長さが、最も伸長したときの長さの９０％〜６５％の範囲に含まれる所定の割合の長さになるまで伸長させたときの、前記前側縁部における前記左右方向の伸長力は、前記後側胴回り部の長さが、最も伸長したときの長さの９０％〜６５％の範囲に含まれる前記所定の割合の長さになるまで伸長させたときの、前記後側縁部における前記左右方向の伸長力よりも大きい、ことが望ましい。
【００１２】
このようなパンツ型吸収性物品によれば、実際におむつを着用させる動作において、胴回り部が左右方向に引っ張られる際の伸長割合として想定される９０％〜６５％の範囲内であれば、いずれの場合でも後側縁部が伸びやすくなる。したがって、後側胴回り部が着用者の臀部に引っ掛かりにくくなり、おむつを着用しやすくなる。
【００１３】
かかるパンツ型吸収性物品であって、前記左右方向において、前記前側胴回り部及び前記後側胴回り部が最も伸長したときの長さに対する、前記前側胴回り部及び前記後側胴回り部の長さの割合が大きいほど、前記前側縁部における前記左右方向の伸長力と前記後側縁部における前記左右方向の伸長力との差が大きくなる、ことが望ましい。
【００１４】
このようなパンツ型吸収性物品によれば、前側縁部及び後側縁部が左右方向に大きく伸ばされるほど、前側縁部と比較して後側縁部の方が相対的に伸びやすくなる。したがって、おむつを着用させる動作において、後側胴回り部の上端部が着用者の臀部により引っ掛かりにくくなる。
【００１５】
かかるパンツ型吸収性物品であって、前記左右方向において、前記前側胴回り部の長さが、最も伸長したときの長さの６０％〜４５％の範囲に含まれる所定の割合の長さになるまで収縮させたときの、前記前側縁部における前記左右方向の収縮力は、前記後側胴回り部の長さが、最も伸長したときの長さの６０％〜４５％の範囲に含まれる前記所定の割合の長さになるまで収縮させたときの、前記後側縁部における前記左右方向の収縮力よりも小さい、ことが望ましい。
【００１６】
このようなパンツ型吸収性物品によれば、実際に着用者がおむつを着用した状態において、胴回り部が左右方向に収縮する際の伸長割合として想定される６５％〜４５％の範囲内であれば、いずれの場合でも前側縁部が伸びやすくなる。したがって、前側胴回り部による着用者のお腹への締め付けが抑制され、着用者に不快感を生じさせ難くなる。
【００１７】
かかるパンツ型吸収性物品であって、前記左右方向において、前記前側胴回り部及び前記後側胴回り部が最も伸長したときの長さに対する、前記前側胴回り部及び前記後側胴回り部の長さの割合が小さいほど、前記前側縁部における前記左右方向の収縮力と前記後側縁部における前記左右方向の収縮力との差が大きくなる、ことが望ましい。
【００１８】
このようなパンツ型吸収性物品によれば、前側縁部及び後側縁部の左右方向における収縮力が大きいほど、後側縁部と比較して前側縁部の方が相対的に伸びやすくなる。したがって、おむつ１を着用した状態において、前側胴回り部２０の上端部によって着用者のお腹が過度に締め付けられることがより抑制されやすくなる。
【００１９】
かかるパンツ型吸収性物品であって、前記後側胴回り部は、前記上下方向において前記後側縁部よりも下側、かつ、前記後側弾性部材が配置されている領域である、後側中間部を有し、前記左右方向において、前記後側胴回り部の長さが、最も伸長したときの長さの８５％になるまで伸長させたとき、前記後側中間部における前記左右方向の伸長力は、前記後側縁部における前記左右方向の伸長力よりも大きい、ことが望ましい。
【００２０】
このようなパンツ型吸収性物品によれば、後側中間部よりも上側に位置する後側縁部の方が、左右方向に伸びやすくなる。したがって、おむつの胴回り開口部を広げる動作において、後側胴回り部の上端部がより開きやすくなり、おむつをスムーズに着用させやすくなる。
【００２１】
かかるパンツ型吸収性物品であって、前記前側胴回り部は、前記上下方向において前記前側縁部よりも下側、かつ、前記前側弾性部材が配置されている領域である、前側中間部を有し、前記左右方向において、前記前側胴回り部の長さが、最も伸長したときの長さの８５％になるまで伸長させたとき、前記前側中間部における前記左右方向の伸長力は、前記前側縁部における前記左右方向の伸長力よりも大きい、ことが望ましい。
【００２２】
このようなパンツ型吸収性物品によれば、前側中間部よりも上側に位置する前側縁部の方が、左右方向に伸びやすくなる。したがって、おむつの胴回り開口部を広げる動作において、前側胴回り部の上端部がより開きやすくなり、おむつをスムーズに着用させやすくなる。
【００２３】
かかるパンツ型吸収性物品であって、前記左右方向において、前記前側胴回り部の長さが、最も伸長したときの長さの８５％になるまで伸長させたときの、前記前側中間部における前記左右方向の伸長力は、前記後側胴回り部の長さが、最も伸長したときの長さの８５％になるまで伸長させたときの、前記後側中間部における前記左右方向の伸長力よりも小さい、ことが望ましい。
【００２４】
このようなパンツ型吸収性物品によれば、全ての後側弾性部材が左右方向において非連続となっている後側中間部では、一部の前側弾性部材のみが左右方向において非連続となっている前側中間部と比較して伸縮力が弱くなりやすい。そこで、後側中間部の方が前側中間部よりも伸長力が高くなるように設定することで、後側中間部において、十分な伸縮性が発現するようになり、フィット性が悪化することを抑制することができる。
【００２５】
かかるパンツ型吸収性物品であって、記左右方向において、前記前側胴回り部及び前記後側胴回り部の長さが、それぞれ最も伸長したときの長さの８５％になるまで伸長させたとき、前記後側中間部における前記左右方向の伸長力は、前記前側中間部における前記左右方向の伸長力よりも大きく、前記前側中間部における前記左右方向の伸長力は、前記前側縁部における前記左右方向の伸長力よりも大きく、前記前側縁部における前記左右方向の伸長力は、前記後側縁部における前記左右方向の伸長力よりも大きい、ことが望ましい。
【００２６】
このようなパンツ型吸収性物品によれば、前側縁部と前側中間部との伸長力の差よりも、後側縁部と後側中間部との伸長力の差の方が大きくなる。したがって、おむつを着用させる際に、後側縁部がより伸びやすくなり、後側縁部が着用者の臀部に引っ掛かってしまうことを、より抑制しやすくなる。
【００２７】
かかるパンツ型吸収性物品であって、前記前側胴回り部は、前記上下方向において前記前側縁部よりも下側、かつ、前記前側弾性部材が配置されている領域である、前側中間部を有し、前記左右方向において、前記前側胴回り部の長さが、最も伸長したときの長さの５５％になるまで収縮させたとき、前記前側中間部における前記左右方向の収縮力は、前記前側縁部における前記左右方向の収縮力よりも大きい、ことが望ましい。
【００２８】
このようなパンツ型吸収性物品によれば、前側中間部よりも上側に位置する前側縁部の方が、左右方向に伸びやすくなる。したがって、乳幼児におむつを着用させたときに、前側縁部における締め付け力が、前側中間部における締め付け力よりも弱くなり、着用者のお腹が過度に締め付けられることがより抑制される。
【００２９】
かかるパンツ型吸収性物品であって、前記後側胴回り部は、前記上下方向において前記後側縁部よりも下側、かつ、前記後側弾性部材が配置されている領域である、後側中間部を有し、前記左右方向において、前記前側胴回り部の長さが、最も伸長したときの長さの５５％になるまで収縮させたときの、前記前側中間部における前記左右方向の収縮力は、前記後側胴回り部の長さが、最も伸長したときの長さの５５％になるまで収縮させたときの、前記後側中間部における前記左右方向の収縮力よりも小さい、ことが望ましい。
【００３０】
このようなパンツ型吸収性物品によれば、全ての後側弾性部材が左右方向において非連続となっている後側中間部では、一部の前側弾性部材のみが左右方向において非連続となっている前側中間部と比較して伸縮力が弱くなりやすい。そこで、後側中間部の方が前側中間部よりも収縮力が高くなるように設定することで、後側中間部において、十分な伸縮性が発現するようになり、おむつ着用時におけるフィット性が悪化することを抑制することができる。
【００３１】
かかるパンツ型吸収性物品であって、前記左右方向において、前記前側胴回り部及び前記後側胴回り部の長さが、それぞれ最も伸長したときの長さの５５％になるまで収縮させたとき、前記後側中間部における前記左右方向の収縮力は、前記後側縁部における前記左右方向の収縮力よりも大きく、前記後側縁部における前記左右方向の収縮力は、前記前側中間部における前記左右方向の収縮力よりも大きく、前記前側中間部における前記左右方向の収縮力は、前記前側縁部における前記左右方向の収縮力よりも大きい、ことが望ましい。
【００３２】
このようなパンツ型吸収性物品によれば、全体として、後側胴回り部における収縮力の方が、前側胴回り部における収縮力よりも大きくなる。これにより、おむつを着用した状態において、前側では過度な締め付けが抑制され、後側では十分なフィット性が得られるようになる。
【００３３】
＝＝＝実施形態＝＝＝
はじめに、本発明の製造方法によって製造されるパンツ型吸収性物品として、乳幼児用の使い捨ておむつを例に挙げて実施形態を説明する。ただし、本発明に係るパンツ型吸収性物品は、乳幼児用の使い捨ておむつに限らず、大人用の使い捨ておむつや、生理用ショーツ等としても利用可能である。
【００３４】
＝＝＝パンツ型使い捨ておむつ１の構成＝＝＝
図１は、パンツ型使い捨ておむつ１（以下「おむつ」）の斜視図である。図２は、展開かつ伸長状態のおむつ１の平面図である。図３は、図２のＩＩ線での断面図である。
【００３５】
おむつ１は、図１に示すパンツ型状態において、上下方向、及び、左右方向を有し、胴回り開口部ＢＨ、及び、一対の脚回り開口部ＬＨが形成されている。上下方向において、胴回り開口部ＢＨ側を上側とし、股下側を下側とする。また、図３に示すように、おむつ１を構成する資材が積層された方向を厚さ方向といい、厚さ方向において着用者に接触する側を肌側といい、着用者に接触しない側を非肌側という。
【００３６】
また、おむつ１は、平面視長方形状の３部材である、吸収性本体１０、前側胴回り部２０、及び、後側胴回り部３０を有する。前側胴回り部２０（第１胴回り部）は着用者の腹側部に当てられ、後側胴回り部３０（第２胴回り部）は着用者の背側部に当てられる。
【００３７】
図２に示す展開状態のおむつ１において、前側胴回り部２０及び後側胴回り部３０は、それらの長手方向がおむつ１の左右方向に沿うように配置されている。そして、左右方向における前側胴回り部２０の中央部に、吸収性本体１０の長手方向一方側の端部が配置され、左右方向における後側胴回り部３０の中央部に、吸収性本体１０の長手方向他方側の端部が配置されている。
【００３８】
図２に示す展開状態のおむつ１において、吸収性本体１０の長手方向がおむつ１の上下方向に沿うように、吸収性本体１０が長手方向の略中央で二つ折りされ、おむつ１の左右方向における前側胴回り部２０の両側端部と後側胴回り部３０の両側端部とが、熱溶着や超音波溶着等で接合されて、一対の接合領域２が形成されることにより、図１に示すパンツ型状態のおむつ１となる。
【００３９】
吸収性本体１０は、図３に示すように、吸収体１１と、吸収体１１よりも肌側に配置された液透過性のトップシート１２と、吸収体１１よりも非肌側に配置された液不透過性のバックシート１３と、バックシート１３よりも非肌側に配置された外装シート１４とを有する。
【００４０】
吸収体１１は、尿等の排泄液を吸収して保持する吸収性コア１１Ａと、吸収性コア１１Ａを覆う液透過性のコアラップシート１１Ｂとを有する。吸収性コア１１Ａとしては、高吸収性ポリマー（ＳＡＰ）を含むパルプ等の液体吸収性繊維が所定の形状に成形されたものを例示できる。
【００４１】
また、図２に示すように、左右方向における吸収性本体１０の両側部には、脚回り弾性部材１５が設けられており、おむつ１は着用者の脚回りにフィットする。脚回り弾性部材１５は、例えば、左右方向の内側に折り返されて２層となった外装シート１４の間において、吸収性本体１０の長手方向に伸長状態で固定されている。脚回り弾性部材１５としては、糸状弾性部材や伸縮性シートを例示できる。
【００４２】
前側胴回り部２０及び後側胴回り部３０は、図３に示すように、それぞれ、内層シート２１，３１と、内層シート２１，３１に積層された外層シート２２，３２と、複数の糸状弾性部材２３，３３とを有する。
【００４３】
外層シート２２，３２は内層シート２１，３１よりも非肌側に配置されている。内層シート２１，３１及び外層シート２２，３２は吸収性本体１０よりも非肌側に配置されている。ただし、外層シート２２，３２の上方の端部２２１，３２１は下方向に折り返されて吸収性本体１０の長手方向の端部を肌側から覆っている。
【００４４】
内層シート２１，３１及び外層シート２２，３２単体は、おむつ１の左右方向の伸縮性を実質的に有さない非伸縮性シートである。内層シート２１，３１及び外層シート２２，３２としては、ＳＭＳ不織布（スパンボンド・メルトブローン・スパンボンド不織布）、スパンボンド不織布、エアスルー不織布、プラスチックシート、開孔プラスチックシート及びそれらのラミネートシートなどを用いることができる。
【００４５】
複数の糸状弾性部材２３（前側弾性部材）は、内層シート２１と外層シート２２の間において、上下方向に並んで配置されるとともに、左右方向に伸長状態で固定されている。同様に、複数の糸状弾性部材３３（後側弾性部材）は、内層シート３１と外層シート３２の間において、上下方向に並んで配置されるとともに、左右方向に伸長状態で固定されている。よって、前側胴回り部２０及び後側胴回り部３０は左右方向に伸縮し、着用者の胴回りにフィットする。糸状弾性部材２３，３３としては、ゴムやスパンデックス等の糸状弾性部材を例示できる。
【００４６】
後側胴回り部３０では、上端部から下端部に亘って糸状弾性部材３３（後側弾性部材）が配置されている。一方、前側胴回り部２０の上端部には、糸状弾性部材２３（前側弾性部材）が配置されておらず、代わりに、左右方向に伸縮する伸縮性シート２４が配置されている。なお、本実施形態では、伸縮性シート２４の下端部と糸状弾性部材２３とが上下方向に重複して配置されているが、重複していなくてもよい。
【００４７】
このように前側胴回り部２０の上端部に糸状弾性部材２３を配置せずに伸縮性シート２４を配置することで、前側胴回り部２０の上端部が面で着用者に密着する。そのため、局所的な締め付けが抑えられ、伸縮部材の跡を残り難くすることができる。特に乳幼児の腹部はぽっこり出ているため、前側胴回り部２０の締め付けを抑えることが好ましい。
【００４８】
また、おむつ１着用時の胴回り開口部ＢＨの広げやすさについては、胴回り部２０，３０の上端部の伸縮力が大きく影響する。伸縮性シート２４は、自然状態から伸長しやすく、伸長状態から収縮しにくい性質を有する。そのため、前側胴回り部２０の上端部に伸縮性シート２４を配置することで、おむつ１着用時に胴回り開口部ＢＨを広げやすくなり、また、胴回り部２０，３０を着用者にフィットさせた後の腹部の締め付けを防止できる。
【００４９】
伸縮性シート２４には、例えば、質量が１０〜４０ｇ／ｍ２、より好ましくは、質量が１５〜３０ｇ／ｍ２の弾性繊維から構成されたスパンボンド不織布、エアスルー不織布、ニードルパンチ不織布等、各種公知の製法によって製造された伸縮性の繊維不織布を用いることができる。弾性繊維は、熱可塑性エラストマーやゴムなどを原料とするものであって、特に熱可塑性エラストマーを原料として用いる場合には、通常の熱可塑性樹脂と同様に押出機を用いた溶融紡糸が可能であり、またそのようにして得られた繊維は熱融着させ易く、伸縮性の繊維不織布として好適である。熱可塑性エラストマーとしては、スチレン系エラストマー、オレフィン系エラストマー、ポリエステル系エラストマー、ポリウレタン系エラストマーを挙げることができる。これらは、一種を単独で又は二種以上を組み合わせて用いることができる。伸縮性シートは少なくとも左右方向に弾性を示すものであればよく、二方向以上に弾性を示すものであってもよい。伸縮性シート２４の左右方向の伸長倍率は１．２倍〜３.０倍程度が好ましい。
【００５０】
図２に示されるように、前側胴回り部２０について、上下方向において、前側胴回り部２０の上端と伸縮性シート２４の下端とによって挟まれた領域を前側縁部Ｌｆとする。また、上下方向において、前側縁部Ｌｆの下端と、複数配置されている糸状弾性部材２３のうち最も下側に配置されている糸状弾性部材２３ｘとの間に挟まれた領域を前側中間部ｌｆとする。すなわち、前側中間部ｌｆは、前側胴回り部２０において、前側縁部Ｌｆよりも下側で、かつ、複数の糸状弾性部材２３が配置されている領域である。
【００５１】
また、後側胴回り部３０について、上下方向において、後側胴回り部３０の上端からの長さが前側縁部Ｌｆの長さと等しくなる領域を後側縁部Ｌｂとする。また、上下方向において、後側縁部Ｌｂの下端と、複数配置されている糸状弾性部材３３のうち最も下側に配置されている糸状弾性部材３３ｘとの間に挟まれた領域を後側中間部ｌｂとする。すなわち、後側中間部ｌｂは、後側胴回り部３０において、後側縁部Ｌｂよりも下側で、かつ、複数の糸状弾性部材３３が配置されている領域である。
【００５２】
＝＝＝おむつ１の着用について＝＝＝
図４は、おむつ１を着用させる際の動作の一例を示す図である。図５は、乳幼児等の着用者がおむつ１を着用した状態について表す側面図である。
【００５３】
着用対象者である乳幼児に対しておむつ１を着用させる（おむつ１を履かせる）際には、例えば図４に示されるように、先ず、一対の脚回り開口部ＬＨから胴回り開口部ＢＨに両腕を通して左右方向に広げる。そして、広げられた胴回り開口部ＢＨに着用対象者の両脚を入れて、左右の両脚をそれぞれの脚回り開口部ＬＨに通しつつ、おむつ１を股下側に引き上げる動作が行われる。しかしながら、この引き上げ動作において、着用者の身体が胴回り開口部ＢＨに引っ掛かってしまい、おむつ１を上手く着用させることが困難になる場合がある。
【００５４】
図５に示されるように、乳幼児のヒップ回りの体型は、身体の前後方向において、中心から下腹部までの幅ｈｆよりも、中心から臀部までの幅ｈｂの方が長くなっている。すなわち、臀部において前後方向の出っ張りが大きくなっている。したがって、図４のようにしておむつ１を引き上げる際に、胴回り開口部ＢＨのうち、後側胴回り部３０の上端部（上述した後側縁部Ｌｂに相当する領域）が、着用者の臀部に引っ掛かりやすくなるおそれがある。
【００５５】
また、同図５に示されるように、乳幼児のウエスト回りの体型は、身体の前後方向において、中心から腹部までの幅ｗｆの方が、中心から背部までの幅ｗｂよりも長くなっている。すなわち、お腹が前側にぽっこりと出っ張っている。したがって、おむつ１を着用させた状態においては、背側と比較して腹側における胴回りの締め付けがきつくなり、着用者のお腹にギャザー跡が付きやすくなったり、着用者に不快感を与えたりするおそれがある。
【００５６】
そこで、本実施形態のおむつでは、おむつ１を着用させる際に、胴回り開口部ＢＨを左右に広げる動作において、後側胴回り部３０の上端部が左右に伸びやすく、着用者の臀部に引っ掛かりにくくなるようにしている。具体的には、前側胴回り部２０及び後側胴回り部３０を左右方向に引っ張る際に、後側胴回り部３０の上端部である後側縁部Ｌｂに作用する左右方向の伸長力が、前側胴回り部２０の上端部である前側縁部Ｌｆに作用する左右方向の伸長力よりも小さくなるようにすることで、後側縁部Ｌｂが伸びやすくなるようにしている。
【００５７】
逆に、おむつ１を着用した状態においては、前側胴回り部２０の上端部が左右に伸びやすく、着用者のお腹が過度に締め付けられないようにしている。具体的には、前側胴回り部２０及び後側胴回り部３０が左右方向に収縮する際に、前側胴回り部２０の上端部である前側縁部Ｌｆに作用する左右方向の収縮力が、後側胴回り部３０の上端部である後側縁部Ｌｂにおける左右方向の収縮力よりも小さくなるようにすることで、前側縁部Ｌｆが伸びやすくなるようにしている。
【００５８】
図６は、おむつ１の胴回り開口部ＢＨを開く動作において、前側縁部Ｌｆ、及び、後側縁部Ｌｂを左右方向に引っ張った時の、各部の伸長力の変化について表した図である。図７は、おむつ１の胴回り開口部ＢＨを着用者の胴回りにフィットさせる動作において、前側縁部Ｌｆ、及び、後側縁部Ｌｂを左右方向に収縮させた時の、各部の収縮力の変化について表した図である。
【００５９】
同図６及び図７では、おむつ１の測定対象部位について引っ張り試験を実施した結果を示している。具体的には、自然状態のおむつ１の前側胴回り部２０から前側縁部Ｌｆを切り出して、左右方向において１４０ｍｍの長さの区間を測定区間として引っ張り試験器（インストロン社）のチャックで挟み込む。そして、１００ｍｍ／ｍｉｎの速度で２７０ｍｍ程度の長さに伸長するまで左右方向の両側に引っ張る。続いて、２７０ｍｍ程度まで伸長した状態の前側縁部Ｌｆを、測定区間の横方向における長さが１４０ｍｍに戻るまで１００ｍｍ／ｍｉｎの速度で収縮させる。このサイクルを２回繰り返す。そして、１サイクル目の引っ張り時において、伸長した測定対象部位の長さと、測定対象部位をその長さにするのに要する力（すなわち伸長力）を測定し記録する。また、２サイクル目の収縮時において、収縮した測定対象部位の長さと、測定対象部位を長さにするのに要する力（すなわち収縮力）を測定し記録する。
【００６０】
同様に、自然状態のおむつ１の後側胴回り部３０から後側縁部Ｌｂを切り出して、左右方向において１４０ｍｍの長さの区間を測定区間として２サイクルの引っ張り試験を行い、左右方向の両側に伸長させた時の伸長力、収縮させた時の収縮力とを測定する。そして、図６及び図７では、上述した引っ張り試験の結果に基づいて、前側縁部Ｌｆ及び後側縁部Ｌｂが左右方向に最も伸長したときの長さに対する割合を横軸に、その割合における伸長力または収縮力の大きさを縦軸に取り、前側縁部Ｌｆ及び後側縁部Ｌｂの伸長割合と力との関係を示している。
【００６１】
また、図示しないが、前側中間部ｌｆ及び後側中間部ｌｂについても同様の測定を行う。すなわち、自然状態のおむつ１から前側中間部ｌｆ及び後側中間部ｌｂを切り出し、左右方向において１４０ｍｍの長さの区間を測定区間として上述の試験と同様の手順で、伸長させた時の伸長力及び収縮させた時の収縮力の大きさを測定する。なお、前側中間部ｌｆ及び後側中間部ｌｂには吸収性本体１０も含まれているが、同前側中間部ｌｆ及び後側中間部ｌｂを切り出す際には、吸収性本体１０も一緒に切り出す。これにより、製品状態のおむつ１を伸長、収縮させた時と同じ条件のデータを得ることができる。
【００６２】
なお、「自然状態」とは、おむつ１を所定時間放置したときの状態である。例えば、製品状態のおむつ１をパッケージから取り出した後、前側胴回り部２０及び後側胴回り部３０を左右方向の両外側に引っ張り、胴回り部２０，３０を「伸長した状態」として、この伸長状態を１５秒間継続させた後、おむつ１の引っ張りを解除して机等の平面に置く。そして、このような平面平置きで５分間経過させた状態を自然状態とする。
【００６３】
図６から明らかなように、前側縁部Ｌｆ及び後側縁部Ｌｂを左右方向に伸長させる動作において、伸長割合が約５０％よりも小さい領域では、前側縁部Ｌｆにおける伸長力の方が、後側縁部Ｌｂにおける伸長力よりも小さい。一方、伸長割合が約５０％を超える領域では、前側縁部Ｌｆにおける伸長力の方が、後側縁部Ｌｂにおける伸長力よりも大きくなっている。
【００６４】
上述したように、おむつ１を着用させる動作においては、前側縁部Ｌｆ（前側胴回り部２０）及び後側縁部Ｌｂ（後側胴回り部３０）が左右方向の両側に引っ張られる。このとき、統計的に、側胴回り部２０，３０は、左右方向に最も伸長したときの８５％程度の長さになることが分かっている。つまり、８５％伸長時における伸長力が、おむつ１をはかせる際に必要な力となる。図６において、伸長割合が８５％のときの伸長力の関係は、前側縁部Ｌｆ＞後側縁部Ｌｂであることから、おむつ１を着用させる際には、後側縁部Ｌｂを伸長させるための力が、前側縁部Ｌｆを伸長させるための力よりも小さくなることが分かる。すなわち、臀部側において後側胴回り部３０の上端部が伸びやすくなるため、着用者の臀部に引っ掛かりにくくなる。
【００６５】
一方、図７から明らかなように、前側縁部Ｌｆ及び後側縁部Ｌｂを左右方向に収縮させる動作において、伸長割合が約７０％よりも大きい領域では、前側縁部Ｌｆにおける収縮力の方が、後側縁部Ｌｂにおける収縮力よりも大きい。一方、伸長割合が約７０％よりも小さい領域では、前側縁部Ｌｆにおける収縮力の方が、後側縁部Ｌｂにおける収縮力よりも小さくなっている。
【００６６】
上述したように、おむつ１を着用した状態にする際には、前側縁部Ｌｆ（前側胴回り部２０）及び後側縁部Ｌｂ（後側胴回り部３０）が左右方向に収縮する。このとき、統計的に、側胴回り部２０，３０は、左右方向に最も伸長したとき５５％程度の長さになることが分かっている。つまり、５５％収縮時における収縮力が、おむつ１着用時に位置ずれ等を生じさせないために必要な力となる。図７において、伸長割合が５５％のときの収縮力の関係は前側縁部Ｌｆ＜後側縁部Ｌｂであることから、おむつ１を着用した状態では、前側縁部Ｌｆの後側縁部Ｌｂが、後側縁部Ｌｂの後側縁部Ｌｂよりも小さくなることが分かる。すなわち、腹部側において前側胴回り部２０の上端部が伸びやすくなるため、着用者のお腹が過度に締め付けられることを抑制できる。
【００６７】
なお、実際におむつ１を着用させる動作において、前側縁部Ｌｆ及び後側縁部Ｌｂが左右方向に引っ張られる時の伸長割合は、乳幼児の身体の大きさや条件によって異なるが、最大伸長時の９０％〜６５％の範囲であることが想定される。図６では、９０％〜６０％の範囲内において、いずれの割合であっても前側縁部Ｌｆにおける伸長力の方が、後側縁部Ｌｂにおける伸長力よりも大きくなっている。したがって、おむつ１を着用させる際には、いずれの場合であっても、臀部側において後側胴回り部３０の上端部が伸びやすくなり、着用者の臀部に引っ掛かりにくくなる。
【００６８】
さらに、図６では、前側縁部Ｌｆ及び後側縁部Ｌｂの伸長割合が大きいほど、伸長力の差が大きくなっている。言い換えると、前側縁部Ｌｆ及び後側縁部Ｌｂが左右方向に最も伸長したときの長さに対する、前側縁部Ｌｆ及び後側縁部Ｌｂの左右方向における長さの割合が大きいほど、前側縁部Ｌｆにおける伸長力と後側縁部Ｌｂにおける伸長力との差が大きくなっている。つまり、前側縁部Ｌｆ及び後側縁部Ｌｂが左右方向に大きく伸ばされるほど、前側縁部Ｌｆと比較して後側縁部Ｌｂの方が相対的に伸びやすくなる。したがって、おむつ１を着用させる動作において、後側胴回り部３０の上端部が着用者の臀部により引っ掛かりにくくなる。
【００６９】
また、実際に着用者がおむつ１を着用した状態では、前側縁部Ｌｆ及び後側縁部Ｌｂが左右方向に収縮する時の割合は、最大伸長時の６０％〜４５％の範囲であることが想定される。図７では、６５％〜４５％の範囲内において、いずれの割合であっても前側縁部Ｌｆにおける収縮力の方が、後側縁部Ｌｂにおける収縮力よりも小さくなっている。したがって、おむつ１を着用させる際には、いずれの場合であっても、腹側において前側胴回り部２０の上端部が伸びやすくなり、着用者のお腹への締め付けが抑制される。
【００７０】
さらに、図７では、前側縁部Ｌｆ及び後側縁部Ｌｂの伸長割合が小さいほど、収縮力の差が大きくなっている。言い換えると、前側縁部Ｌｆ及び後側縁部Ｌｂが左右方向に最も伸長したときの長さに対する、前側縁部Ｌｆ及び後側縁部Ｌｂの左右方向における長さの割合が小さいほど、前側縁部Ｌｆにおける収縮力と後側縁部Ｌｂにおける収縮力との差が大きくなっている。つまり、前側縁部Ｌｆ及び後側縁部Ｌｂの収縮が大きいほど、後側縁部Ｌｂと比較して前側縁部Ｌｆの方が相対的に伸びやすくなる。したがって、おむつ１を着用した状態において、前側胴回り部２０の上端部が着用のお腹を過度に締め付けることがより抑制されやすくなる。
【００７１】
また、おむつ１を着用させる際の動作では、上述のように、胴回り開口部ＢＨを広げながら、着用者の爪先側から股下側に引き上げる動作が行われる。そのため、後側胴回り部３０の上端部が大きく開くほど、おむつ１をスムーズに着用させやすい。本実施形態では、左右方向において、後側胴回り部３０の長さが最も伸長したときの長さの８５％になるまで伸長させたときに、後側中間部ｌｂにおける左右方向の伸長力が、後側縁部Ｌｂにおける左右方向の伸長力よりも大きくなっている。つまり、後側中間部ｌｂよりも上側に位置する後側縁部Ｌｂの方が、左右方向に伸びやすくなっている。したがって、図４のように胴回り開口部ＢＨを広げる動作において、後側胴回り部３０の上端部がより開きやすくなり、おむつ１をスムーズに着用させやすくなる。
【００７２】
同様に、おむつ１を着用させる際の動作において、前側胴回り部２０の上端部が大きく開くほど、おむつ１をスムーズに着用させやすい。本実施形態では、左右方向において、前側胴回り部２０の長さが最も伸長したときの長さの８５％になるまで伸長させたときに、前側中間部ｌｆにおける左右方向の伸長力が、前側縁部Ｌｆにおける左右方向の伸長力よりも大きくなっている。つまり、前側中間部ｌｆよりも上側に位置する前側縁部Ｌｆの方が、左右方向に伸びやすくなっている。したがって、図４のように胴回り開口部ＢＨを広げる動作において、前側胴回り部２０の上端部がより開きやすくなり、おむつ１をスムーズに着用させやすくなる。
【００７３】
さらに、前側胴回り部２０の長さが、左右方向に最も伸長したときの長さの８５％になるまで伸長させたときの、前側中間部ｌｆにおける左右方向の伸長力は、後側胴回り部３０の長さが、最も伸長したときの長さの８５％であるときの、後側中間部ｌｂにおける左右方向の伸長力よりも小さくなっている。図２に示されるように、前側中間部ｌｆでは、一部の糸状弾性部材２３が左右方向に連続し、吸収性本体１０（吸収性コア１１Ａ）の上端部に伸縮性を付与し、吸収性本体１０が前側上端部において、着用者の腹部からずれにくくなるようにしている。一方、後側中間部ｌｂでは、左右方向の中央部において全ての糸状弾性部材３３が非連続となっている。そのため、後側中間部ｌｂでは、後側胴回り部３０に糸状弾性部材３３を固定する際の伸長倍率を高くして、前側中間部ｌｆよりも左右方向の伸長力が高くなるようにしている。おむつ１の着用時に、後側中間部ｌｂにおいて、十分な伸縮性を発現させ、当該領域においてフィット性が悪化することを抑制するためである。したがって、おむつ１を着用させる際の動作においても、後側中間部ｌｂにおける左右方向の伸長力の方が、前側中間部ｌｆにおける左右方向の伸長力よりも大きくなる。
【００７４】
そして、胴回り部２０，３０の長さが最も伸長したときの長さの８５％になるまで伸長させたときの、前側縁部Ｌｆ、前側中間部ｌｆ、後側縁部Ｌｂ、後側中間部ｌｂの各部における伸長力を比較すると、以下のようになる。すなわち、後側中間部ｌｂにおける左右方向の伸長力、前側中間部ｌｆにおける左右方向の伸長力、前側縁部Ｌｆにおける左右方向の伸長力、後側縁部Ｌｂにおける左右方向の伸長力の順に伸長力が小さくなる。したがって、おむつ１では、前側中間部ｌｆの伸長力と前側縁部Ｌｆの伸長力との差よりも、後側中間部ｌｂの伸長力と後側縁部Ｌｂの伸長力との差の方が大きくなる。そのため、図４のようにおむつ１の胴回り開口部ＢＨを広げる際に、後側では後側縁部Ｌｂと後側中間部ｌｂとの伸長力の差が大きくなり、左右方向に広げる力を加えた際に、後側縁部Ｌｂがより伸びやすくなる。これにより、おむつ１を着用させる動作において、後側縁部Ｌｂが着用者の臀部に引っ掛かってしまうことを、より抑制しやすくなる。
【００７５】
また、乳幼児におむつ１を着用させた状態においては、図５のように、乳幼児のウエスト回りにおける中心から腹部までの幅ｗｆが、ヒップ回りにおける中心から下腹部までの幅ｈｆよりも大きい。本実施形態では、左右方向において、前側胴回り部２０の長さが最も伸長したときの長さの５５％になるまで収縮させたときに、前側中間部ｌｆにおける左右方向の収縮力が、前側縁部Ｌｆにおける左右方向の収縮力よりも大きくなっている。つまり、前側中間部ｌｆよりも上側に位置する前側縁部Ｌｆの方が、左右方向に伸びやすくなっている。したがって、乳幼児におむつ１を着用させたときに、前側縁部Ｌｆにおける締め付け力が、前側中間部ｌｆにおける締め付け力よりも弱くなり、着用者のお腹が過度に締め付けられることがより抑制される。
【００７６】
また、前側胴回り部２０の長さが、左右方向に最も伸長したときの長さの５５％になるまで収縮させたときの、前側中間部ｌｆにおける左右方向の収縮力は、後側胴回り部３０の長さが、最も伸長したときの長さの５５％であるときの、後側中間部ｌｂにおける左右方向の収縮力よりも小さくなっている。上述のように、後側中間部ｌｂでは、左右方向の中央部において全ての糸状弾性部材３３が非連続となっていることから、糸状弾性部材３３を固定する際の伸長倍率を高くしている。したがって、おむつ１着用時において、後側中間部ｌｂにおける左右方向の収縮力の方が、前側中間部ｌｆにおける左右方向の収縮力よりも大きくなっている。
【００７７】
そして、胴回り部２０，３０の長さが最も伸長したときの長さの５５％であるときに、前側縁部Ｌｆ、前側中間部ｌｆ、後側縁部Ｌｂ、後側中間部ｌｂの各部における収縮力を比較すると、以下のようになる。すなわち、後側中間部ｌｂにおける左右方向の収縮力、後側縁部Ｌｂにおける左右方向の収縮力、前側中間部ｌｆにおける左右方向の収縮力、前側縁部Ｌｆにおける左右方向の収縮力の順に収縮力が小さくなる。したがって、全体として、後側胴回り部３０における収縮力の方が、前側胴回り部２０における収縮力よりも大きくなる。これにより、おむつ１を着用した状態において、前側では過度な締め付けが抑制されるのに対して、後側では十分なフィット性が得られるようになる。したがって、おむつ１の位置ずれが抑制され、着用者に不快感を与えにくくなる。
【００７８】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。
【００７９】
例えば、前側胴回り部２０の上端部に伸縮性シート２４を配置するに限らない。上下方向における前側胴回り部２０の何れの位置に伸縮性シート２４を配置してもよい。また、後側胴回り部３０（第１胴回り部）が伸縮性シートを有し、前側胴回り部２０（第２胴回り部）が伸縮性シートを有していなくてもよいし、前側胴回り部２０と後側胴回り部３０が共に伸縮性シート２４を有していてもよい。
【００８０】
また、上述の実施形態においては、パンツ型吸収性物品は、腹側胴回り部２０と背側胴回り部３０と吸収性本体１０とを有する所謂３ピースタイプの使い捨ておむつとして説明していたがこれに限られない。例えば、外装シート１４が腹側胴回り部２０と後側胴回り部３０とを繋いで一体化されたおむつ（所謂２ピースタイプ）であっても良い。
【符号の説明】
【００８１】
１  おむつ（パンツ型吸収性物品）、２  接合領域、
１０  吸収性本体、１１  吸収体、
１１Ａ  吸収性コア、１１Ｂ  コアラップシート、
１２  トップシート、１３  バックシート、
１４  外装シート、１５  脚回り弾性部材、
２０  前側胴回り部（第１胴回り部）、
２１  内層シート（非伸縮性シート）、２２  外層シート（非伸縮性シート）、
２３  糸状弾性部材、２４  伸縮性シート、
３０  後側胴回り部（第２胴回り部）、３１  内層シート、
３２  外層シート、３３  糸状弾性部材、
Ｌｆ  前側縁部、ｌｆ  前側中央部、
Ｌｂ  後側縁部、ｌｂ  後側中央部、
【図１】
2019118553.tif 000003
【図２】
2019118553.tif 000004
【図３】
2019118553.tif 000005
【図４】
2019118553.tif 000006
【図５】
2019118553.tif 000007
【図６】
2019118553.tif 000008
【図７】
2019118553.tif 000009